(57)【特許請求の範囲】
【請求項１】
２つの基材を折りたたんで（ａ）部及び（ｂ）部を形成し、（ａ）部と（ｂ）部とを連結してＺ型とした粘着テープであって、（ａ）部もしくは（ｂ）部の片面又は両面に粘着剤層が設けられてなるＺ型粘着テープ。
【請求項２】
２つの基材を折りたたんで（ａ）部及び（ｂ）部を形成し、（ａ）部と（ｂ）部とを連結してＺ型とした粘着テープであって、（ａ）部及び（ｂ）部が屈曲部を有するように折りたたまれており、（ａ）部内面、該内面と連結する（ｂ）部内面、及び（ｂ）部外面に粘着剤層が設けられてなることを特徴とする請求項１記載のＺ型粘着テープ。
【請求項３】
請求項２記載のＺ型粘着テープにおいて、さらに（ａ）部外面、（ａ）部内面の粘着剤層に対向する（ｂ）部外面、及び（ｂ）部内面の粘着剤層に対向する（ｂ）部内面に離型処理層が設けられてなることを特徴とするＺ型粘着テープ。
【請求項４】
２つの基材を折りたたんで（ａ）部及び（ｂ）部を形成し、（ａ）部と（ｂ）部とを連結してＺ型とした粘着テープであって、（ａ）部及び（ｂ）部が屈曲部を有するように折りたたまれており、（ａ）部外面端部と（ｂ）部外面端部とが粘着剤層により連結されており、さらに（ａ）部内面及び（ｂ）部外面に粘着剤層が設けられてなることを特徴とする請求項１記載のＺ型粘着テープ。
【請求項５】
請求項４記載のＺ型粘着テープにおいて、さらに（ａ）部外面及び（ａ）部内面の粘着剤層と対向する（ｂ）部外面に離型処理層が設けられてなることを特徴とするＺ型粘着テープ。
【請求項６】
２つの基材を折りたたんでＺ型とした粘着テープの中央部下面と下部上面とが仮着されていることを特徴とする請求項１〜５のいずれかに記載のＺ型粘着テープ。
【発明の詳細な説明】
【０００１】
【産業上の利用分野】
本発明は、種々物品の固定用テープ、例えば紙オムツ、ナプキン、その他衛生用品などの吸収性物品、カイロなどの使い捨て物品、その他衣類等の固定用のファスニングテープ、結束用、梱包用テープ等として好適に用いられるＺ型粘着テープ、及びそれを用いたファスニングシステムに関する。
【０００２】
【従来の技術】
従来、例えば紙オムツ等の固定用テープとして、Ｚ型に構成された種々の粘着テープが知られている（例えば特公昭５８−３０４０１号、特公昭５２−４７７６９号、特公平１−５６１６３号など）。
【０００３】
【発明が解決しようとする課題】
例えば、特公昭５８−３０４０１号に記載されたＺ型粘着テープは、１つの基材が、第１脚（ｃ）部、第２脚（ｂ）部、及び第３脚（ａ）部を構成するように折りたたまれてＺ型を形成している。  このように１つの基材をＺ型にするには、該基材に形成する粘着剤を塗工しては折り曲げるという工程の繰り返しを必要とするため、製造工程が複雑になるという問題があった。  即ち、基材を２度折り曲げるための工程を必要とするため、テープ製造の歩留り、生産性を落とす原因となっていた。
【０００４】
【課題を解決するための手段】
本発明は上記の問題点を改良するためになされたものであり、即ち、本発明は、Ｚ型に折りたたまれて（ａ）部及び（ｂ）部の連結からなる粘着テープであって、（ａ）部もしくは（ｂ）部の片面又は両面に粘着剤層が設けられてなることを基本的構成とするＺ型粘着テープを提供する。
【０００５】
以下、本発明の実例を図面にもとづいて説明するが、本発明はこれらに何ら限定されるものではない。
図１は、本発明のＺ型粘着テープの実例を示す断面図であり、２つの基材１がそれぞれ１つの屈曲部を有するよう（くの字型）に折り曲げられてａ１  及びａ２  からなる（ａ）部、及びｂ１  及びｂ２  からなる（ｂ）部を形成しており、この  ａ２  とｂ１  が連結されて（ａ）部と（ｂ）部とが連結されている。  （ａ）部内面（折り曲げられた内側の面）１１と該内面１１と連結するｂ１  部内面（折り曲げられた内側の面）１３には粘着剤層２が設けられ、（ａ）部内面１１上の粘着剤層２によりａ２  とｂ１  とが連結されている。  また、ｂ２  外面（折り曲げられた外側の面）１４にも粘着剤層２が設けられて、被着体（図示せず）に固定される。  また、必要に応じて、（ａ）部外面１２、ａ１  部内面１１の粘着剤層２に対向するｂ１  部外面１４、及びｂ１  内面１３の粘着剤層２に対向するｂ２  内面１３には、離型処理層３が設けられる。  即ち、粘着剤層２として後述の再剥離性粘着剤などの粘着力の小さいものを使用する場合には、離型処理層３が必要ない場合もある。  この際、ｂ２  外面１４の粘着剤層２は、被着体との接着を保つため、強粘着力タイプの粘着層とする。
かかる構造によれば、（ａ）部、（ｂ）部共に一度しか折り曲げる必要がないため、上述した如く生産性等の向上に寄与できるという効果がある。
【０００６】
また本構造においては、図１に示す如く、Ｚ型に折りたたまれた際に、例えばｂ１  内面１３上の粘着剤層２の長さをｂ２  の長さより短くしたり、ａ２  とｂ１  とからなるＺ字状の中央部分の長さをｂ２  の長さより短くすることにより、ｂ１  内面１３上の粘着剤層２がｂ２  の右端からはみ出して被着体に接着するのを防ぐことが好ましい。
また、ａ２  とｂ１  との重なり部は他部より厚くなるため、この重なり部がｂ２  の右端よりさらに右にでるように配置して重なり部とｂ２  とが重ならないように構成することにより、本Ｚ型粘着テープを重ね合わせて巻回した際、重なり部の厚み増加を吸収して、巻回形状を安定させることができるという効果もある。
【０００７】
また、ｂ１  内面１３の粘着剤層２とｂ２  内面１３の離型処理層３との剥離力を、好ましくは５０〜８００ｇ／２５ｍｍ程度とすることにより、ｂ１  とｂ２  が使用前にはがれてしまうのを防ぐことができると共に使用時には剥離してテープを展開しやすいという効果がある。
【０００８】
図２は、本発明のＺ型粘着テープの他例を示す断面図であり、２つの基材１がそれぞれ１つの屈曲部を有するよう（くの字型）に折り曲げられて（ａ）部及び（ｂ）部を形成しており、この（ａ）部と（ｂ）部とが連結されている。
（ａ）部外面端部１２と（ｂ）部外面端部１４とが粘着剤層２により連結されており、さらに（ａ）部内面１１及び（ｂ）部外面１４に粘着剤層２が設けられている。  また、（ａ）部外面１２及び（ａ）部内面１１の粘着剤層２と対向する（ｂ）部外面１４には、図１と同様必要に応じて、離型処理層３が設けられる。
ここで（ｂ）部外面の粘着剤層２は、すじ状に部分的に設けられている。
かかる構造によれば、（ａ）部及び（ｂ）部に設ける粘着剤の量を少なくでき、コスト的に有利であるばかりでなく、生産面においても予め屈曲部を有する（ａ）部を作成しておいて、その（ａ）部を予め屈曲部を有する（ｂ）部上に載置させるだけで本発明のＺ型粘着テープが簡便に得られるという効果がある。
【０００９】
図３は、本発明のＺ型粘着テープの他例を示す断面図であり、２つの基材１がそれぞれ１つの屈曲部を有するよう（くの字型）に折り曲げられて（ａ）部及び（ｂ）部を形成しており、この（ａ）部と（ｂ）部とが連結されている。  （ｂ）部外面１４には、粘着剤層２が設けられ、該粘着剤層２によって（ａ）部外面端部１２とが連結されている。  （ａ）部内面１１及び外面１２には、粘着剤層２が設けられている。  また、（ａ）部外面１２、（ａ）部内面１１の粘着剤層２と対向する（ａ）部内面１１、及び（ａ）部外面１２の粘着剤層２と対向する（ｂ）部内面１３には、必要に応じて剥離処理層３が設けられる。
かかる構造によれば、図２の場合と同様に本発明のＺ型粘着テープが簡便に得られ、さらに（ｂ）部内面１３に対向する（ａ）部外面１２に粘着剤層２が存在するため、使用前にＺ型形状が開くことなく使い勝手が良いという効果もある。
なお、図２の構成で同様の粘着剤層を設けると、粘着剤層が合計４ケ所必要となるため、これと比較して粘着剤層が少なくてすむ図３の構造が、製造面、コスト面、品質面においてより好ましい形態である。  この際、（ａ）部外面１２の粘着剤層２に、例えば粘着剤を細い繊維状に塗布して再剥離性を付与することがさらに好ましい。
【００１０】
図４は、本発明のＺ型粘着テープの他例を示す断面図であり、折り曲げない通常のテープからなる（ａ）部と、くの字型に１ケ所折り曲げたテープ（ｂ）部とが連結されてなる。  （ａ）部内面１１には粘着剤層２が設けられ、該粘着剤層２により（ａ）部内面１１と（ｂ）部外面１４とが連結されている。  （ｂ）部外面１４には、粘着剤層２が、（ｂ）部内面１３同士は、後述する仮着手段４によって仮着されている。  また、必要に応じて、（ａ）部外面１２、及び（ａ）部内面１１の粘着剤層２に対向する（ｂ）部外面１４には、離型処理層３が設けられている。  かかる構造によれば、（ａ）部の基材は折り曲げる必要がないためより生産性が向上するという効果がある。  また、仮着手段４を設けたことにより、（ｂ）部内面１３に粘着剤層を設けることなく（ｂ）部が使用前に開くのを防止できるという効果もある。
【００１１】
図５は、本発明のＺ型粘着テープの他例を示す断面図であり、２つの基材１がそれぞれ１つの屈曲部を有するようにくの字型に折り曲げられて（ａ）部及び（ｂ）部を形成しており、この（ａ）部と（ｂ）部の端部同士がヒートシール等の手段により連結されている。  （ａ）部内面１１及び（ｂ）部外面１４には、粘着剤層２が設けられ、（ａ）部外面１２には、必要に応じて、離型処理層３が設けられている。
かかる構造によれば、（ａ）部と（ｂ）部との接合部をヒートシールしたため、粘着剤による接合に比べて接合強度が強くなるという効果がある。
【００１２】
また本発明においては、Ｚ型に折りたたまれたＺ型粘着テープの中央部下面と下部上面とが仮着されていることが好ましい。  即ち、例えば図１、図２、図４の構造においては、（ｂ）部内面１３同士が、また図３の構造においては、（ａ）部外面１２と（ｂ）部内面１３とが、図５の構造においては（ａ）部外面１２もしくは（ｂ）部内面１３と（ｂ）部内面１３とが仮着されていることが好ましい。  かかる仮着により、そのＺ型粘着テープがＺ型のまま巻回されて、使用時に巻き戻して使用直前まで、そのＺ型形状を維持することができるという効果がある。  この仮着手段は特に限定されないが、例えばヒートシール法、スチレン系、オレフィン系等のホットメルト型やその他任意の粘着剤、点状、繊維状粘着剤等の塗布、エンボスプレス加工、あるいはこれらの複合方式が挙げられる。
【００１３】
本発明において用いる基材、粘着剤層、離型処理層の材質は、特に限定されないが、例えば、基材としては、ポリエチレン、ポリプロピレン、ポリエステル等あるいはこれらのブレンド物からなるフィルム、又はこれらの積層物等が挙げられる。  粘着剤層としては、アクリル系、ゴム系等が挙げられ、特にゴム系のスチレン系ホットメルト型粘着剤が好ましい。  また、離型処理層がない構造の場合は、例えばＡＢＡ型又はＡＢ型ブロック共重合体（Ａは熱可塑性ブロック、Ｂはラバーブロックで、例えば、スチレン−イソプレン−スチレン共重合体、スチレン−ブタジエン−スチレン共重合体、スチレン−エチレン−ブタジエン−スチレン共重合体、スチレン−ブタジエン共重合体もしくはこれらの水素添加物等）を主体としたもの等の再剥離性粘着剤が好ましく用いられる。  さらに、オレフィン系粘着剤、またスチレン系とオレフィン系粘着剤とのブレンドも好ましい。
また、離型処理層としては、シリコーン、長鎖アルキル型等の離型処理剤が挙げられ、特に光架橋型（電子線、紫外線硬化型）のシリコーンが好ましい。
上記粘着剤層２は、基材上に連続的あるいは、例えば図２や図５の如くスジ状に設けることができる。
また、（ａ）部の左端に摘み用テープを挿入したり、印刷部を設けることにより、（ａ）部を掴み易くすることも好ましい態様である。
【００１４】
本発明のＺ型粘着テープは、（ｂ）部外面１４に設けられた粘着剤層２により任意の被着体に接着固定し、使用時に（ａ）部を引っ張ってＺ型テープを展開して、（ａ）部を他方の被着体に接着固定することにより、被着体同士を固定するファスニングシステムを形成することができる。    この場合、使用前のコンパクトさと使用後の巻回もしくは実用上の止め易さから、テープを展開したときのテープ長さが、初期（展開前）の２倍以上の長さとなるように構成することが好ましい。
【００１５】
本発明のＺ型粘着テープＡは、図６に示す如く、例えばオムツＢの表面に粘着剤層２で（ｂ）部を固定し、（ａ）部を引き出してオムツＢの他方へ固定することができる。
また本発明のＺ型粘着テープは、図７に示す如く、パンツタイプのオムツ（はかせるオムツ）の使用後の処理用テープとして、汚れたオムツをくるくる丸めて固定するためにも用いることができる。
さらに、本発明のＺ型粘着テープは、図８に示す如く、例えば袋の結束用としても用いることができる。
【００１６】
【発明の効果】
本発明のＺ型粘着テープは、基材を２分割としたため、基材の折り曲げ工程を削減でき、テープ製造の歩留り、生産性を向上することができるという利点を有する。
また、その用途は何ら限定されないが、種々物品の固定用テープ、例えば紙オムツ、ナプキン、その他衛生用品などの吸収性物品、カイロなどの使い捨て物品、その他衣類等の固定用のファスニングテープ、ゴミ袋などの結束用、梱包用テープとして好適に用いられる。
特にパンツタイプオムツの使用後、汚れたオムツをくるくる丸めて止めるための処理テープとして好適である。
【図面の簡単な説明】
【図１】本発明のＺ型粘着テープの実例を示す断面図である。
【図２】本発明のＺ型粘着テープの実例を示す断面図である。
【図３】本発明のＺ型粘着テープの実例を示す断面図である。
【図４】本発明のＺ型粘着テープの実例を示す断面図である。
【図５】本発明のＺ型粘着テープの実例を示す断面図である。
【図６】本発明のＺ型粘着テープの使用形態を示す説明図である。
【図７】本発明のＺ型粘着テープの使用形態を示す説明図である。
【図８】本発明のＺ型粘着テープの使用形態を示す説明図である。
【符号の説明】
１          基材
２          粘着剤層
３          離型処理層
４          仮着手段
【図１】
0003544735.tif 000002
【図２】
0003544735.tif 000003
【図３】
0003544735.tif 000004
【図４】
0003544735.tif 000005
【図５】
0003544735.tif 000006
【図６】
0003544735.tif 000007
【図７】
0003544735.tif 000008
【図８】
0003544735.tif 000009